(57)【要約】【課題】  入浴剤などをシャワー水に混入させる機能を有し、外面に突起構造などを有することがなく使用上便利で安全なシャワーヘッドを提供する。【解決手段】  シャワーヘッドのヘッド部が両端面を開口面とする中空の筒体であって、かつ該筒体の軸線と垂直な断面積が一方の面側から漸減し、複数のシャワー水噴出口を穿設してなるヘッド部本体の噴出面カバーと、ヘッド部本体の噴出面カバーに対向する一方の面に設ける後部カバーとを具え、該ヘッド部内に固形薬剤支持部材を摺動自在に設ける。【選択図】図４
2014083411.tif 000002
【特許請求の範囲】
【請求項１】
シャワーホースを接続する接続管の一端にヘッド部を設けてなるシャワーヘッドであって
該ヘッド部は両端面を開口面とする中空の筒体であって、かつ該筒体の軸線と垂直な断面積が一方の面側から漸減するヘッド部本体と、複数のシャワー水噴出口を穿設してなるヘッド部本体の噴出面カバーと、ヘッド部本体の噴出面カバーに対向する一方の面に設ける後部カバーとを具え、該ヘッド部本体内には固形薬剤支持部材を摺動自在に設け、
該固形薬剤支持部材は、底面の外周に、該ヘッド部本体の傾斜と同様の角度を以って壁面を一体に形成してなり、かつ該壁面に窗を形成し、
該接続管は下端から上端にシャワー水が通過する流通路を形成した中空の管体であって、下端内部にはアスピレータ構造部を設け、
該アスピレータ構造部は、該流通路に傾斜部を形成して内径を漸減させ、内径が最も狭くなった箇所を噴出口とし、かつ該噴出口から該接続管を貫通して外部に至る吸気孔を穿設することを特徴とするシャワーヘッド。
【請求項２】
前記ヘッド部本体の該噴出面カバーと、前記ヘッド部本体１１の該噴出面カバーに対向する一方の面に設ける該後部カバーとのいずれも断面がコの字状を呈し、該ヘッド部本体両端の開口面にそれぞれ着脱自在に設けられることを特徴とする請求項１に記載のシャワーヘッド。
【請求項３】
前記固形薬剤支持部材には、底面の形状に沿って固形の入浴剤、芳香剤、もしくは石鹸等を成型した固形薬剤を嵌着することを特徴とする請求項１に記載のシャワーヘッド。
【請求項４】
前記固形約薬剤支持部材の中心には中空の支持柱を一体に形成し、該支持柱の内壁には螺刻するとともに、該噴出面カバーの中心にも孔部を穿設し、
該固形約薬剤支持部材の該支持柱に一端が螺合する支持軸であって、該噴出面カバー側の一端に近い位置に突縁を形成し、該突縁から該薬剤支持部材側の一端に至るまで外周面に螺刻するとともに、該突縁から該薬剤支持部材側の一端に至るまでの部分は中空に形成して内壁に螺刻した支持軸と、
少なくとも１以上のパッキンと、
該噴出面カバーと、
中空で内壁に螺刻した調整つまみと、を固定ねじで連結することを特徴とする請求項１に記載のシャワーヘッド。
【発明の詳細な説明】
【発明の詳細な説明】
【技術分野】
【０００１】  この発明はシャワーヘッドに関し、特に入浴剤などをシャワー水に混入させる機能を有するシャワーヘッドに関する。
【背景技術】
【０００２】  シャワーヘッドは、複数の噴出口を具え、給湯装置などから送られてくる温水もしくは水（以下『シャワー水』と称する）を該噴出口から噴出する装置であるが、このシャワーヘッドに何らかの機械的構造を設けて、他の機能を付加する試みは、数多くみられる。例えば特許公開２０１０−２９６４９に開示されるシャワー装置は微細気泡発生機能をシャワーヘッドに付加するものであって、シャワーヘッド内部に特殊なシャワー水流路を形成して水流を高速化し、キャビテーションを発生されて気泡を発生させるものである。【０００３】  また、特許公開２０１１−９８１７１に開示するシャワーヘッドは、シャワーヘッドからシャワー水とアロマオイルとアロマの香りを同時に放出するものであって、流体の流れによる圧力差によって、気体及び液体を装置本体の自吸口から自吸する機能をもった装置をシャワーヘッドとシャワーホースの間に設け、装置自吸口にカートリッジ接続部を設ける。接続部にカートリッジを接続し、カートリッジ内部のフィルターに染み込ませたアロマオイル及びアロマの香りを装置の自吸力によってシャワーヘッド内に自吸させシャワー水とアロマの香りを同時に放出させる。【０００４】  入浴剤などをシャワー水に混入させる機能を付加する技術については、特許公開２００３−２３５７５０に開示するシャワー用添加剤保持装置およびその配設方法が挙げられる。但し、該装置は給水栓とシャワー装置等をつなぐ経路の途中に設け、内部に水や湯等の流体が流れる流路と添加剤を収容する添加剤収容部とを有する。該添加剤収容部は流路の側壁より突出して設ける芳香剤、浴用剤等の添加剤を収容し、湯水等に混合する。【０００５】  従来の技術においては、シャワー水に気泡を混入させる機能を具えさせたもの、アロマの香りを放出するものなどがみられるが、入浴剤などをシャワー水に混入させる機能については、特許公開２００３−２３５７５０に見られるようにシャワーヘッドではなく給水栓とシャワー装置等をつなぐ経路の途中において、添加剤収容部を流路の側壁より突出して設けるものが見られる程度である。但し、特許公開２０１１−９８１７１のようにシャワーヘッドの外周面に突起構造が設けられると、使用上不便であり、かつシャワーヘッドの外観を損ね、さらには使用上の安全も問題になる。また、特許公開２０１１−９８１７にしても、流路の側壁に突出する添加剤収容部を取り付けるため、取り付ける位置の空間を占め、また給湯部に突起部が形成されることによって使用上不便になる。
【先行技術文献】
【特許文献】
【０００６】
【特許文献１】特許公開２０１０−２９６４９
【特許文献２】特許公開２０１１−９８１７１
【特許文献３】特許公開２００３−２３５７５０
【発明の概要】
【発明が解決しようとする課題】
【０００６】  そこで、この発明は、入浴剤などをシャワー水に混入させる機能を有するシャワーヘッドであって、簡易な構造を具え、使用上便利なシャワーヘッドを提供することを課題とする。【０００７】  また、この発明は、給水栓とシャワー装置等をつなぐ経路の途中に突起構造などを設けることがなく使用上便利で安全なシャワーヘッドを提供することを課題とする。
【課題を解決するための手段】
【０００８】  そこで、本発明者は従来のシャワーヘッドに見られる欠点に鑑み鋭意研究を重ねた結果、シャワーヘッド本体内に固形の入浴剤、もしくは芳香剤などを具え、かつアスピレータ構造部を有し、該アスピレータ構造部のベンチュリー効果で微細気泡をシャワー水に混入させるとともに、該固形の入浴剤、もしくは芳香剤などがシャワー水に容易に混入するように構成したシャワーヘッドの構造によって課題を解決できる点に着眼し、かかる知見に基づいて、本発明を完成させた。【００１０】  以下、この発明について具体的に説明する。
請求項１に記載するシャワーヘッドは、シャワーホースを接続する接続管の一端にヘッド部を設けてなるシャワーヘッドであって
該ヘッド部は両端面を開口面とする中空の筒体であって、かつ該筒体の軸線と垂直な断面積が一方の面側から漸減するヘッド部本体と、複数のシャワー水噴出口を穿設してなるヘッド部本体の噴出面カバーと、ヘッド部本体の噴出面カバーに対向する一方の面に設ける後部カバーとを具え、該ヘッド部本体内には固形薬剤支持部材を摺動自在に設け、
該固形薬剤支持部材は、底面の外周に、該ヘッド部本体の傾斜と同様の角度を以って壁面を一体に形成してなり、かつ該壁面に窗を形成し、
該接続管は下端から上端にシャワー水が通過する流通路を形成した中空の管体であって、下端内部にはアスピレータ構造部を設け、
該アスピレータ構造部は、該流通路に傾斜部を形成して内径を漸減させ、内径が最も狭くなった箇所を噴出口とし、かつ該噴出口から該接続管を貫通して外部に至る吸気孔を穿設する。【００１１】  請求項２に記載するシャワーヘッドは、請求項１におけるヘッド部本体の該噴出面カバーと、前記ヘッド部本体１１の該噴出面カバーに対向する一方の面に設ける該後部カバーとのいずれも断面がコの字状を呈し、該ヘッド部本体両端の開口面にそれぞれ着脱自在に設けられる。【００１２】  請求項３に記載するシャワーヘッドは、請求項１における固形薬剤支持部材には、底面の形状に沿って固形の入浴剤、芳香剤、もしくは石鹸等を成型した固形薬剤を嵌着する。【００１３】  請求項４に記載するシャワーヘッドは請求項１における固形約薬剤支持部材の中心には中空の支持柱を一体に形成し、該支持柱の内壁には螺刻するとともに、該噴出面カバーの中心にも孔部を穿設し、
該固形約薬剤支持部材の該支持柱に一端が螺合する支持軸であって、該噴出面カバー側の一端に近い位置に突縁を形成し、該突縁から該薬剤支持部材側の一端に至るまで外周面に螺刻するとともに、該突縁から該薬剤支持部材側の一端に至るまでの部分は中空に形成して内壁に螺刻した支持軸と、
少なくとも１以上のパッキンと、
該噴出面カバーと、
中空で内壁に螺刻した調整つまみと、を固定ねじで連結し、
係る構造によって、固形約薬剤支持部材を前後に摺動させて位置を調整し、固形約薬剤支持部材に支持する固形薬剤の溶出する濃度を調整することができる。
【図面の簡単な説明】
【００１４】
【図１】  この発明によるシャワーヘッドの外観を示した側面図である。
【図２】  図１に開示するシャワーヘッドの斜視図である。
【図３】  この発明によるシャワーヘッドにおけるヘッド部の構造を示した分解図である。
【図４】  この発明における固形約薬剤支持部材の位置を示した説明図である。
【図５】  この発明における固形約薬剤支持部材の他の位置を示した説明図である。
【図６】  この発明における固形約薬剤支持部材の別の位置を示した説明図である。
【図７】  この発明によるシャワーヘッドの水流の方向を示した説明図である。
【発明を実施するための最良の実施形態】
【００１５】  図１、２に開示するように、この発明によるシャワーヘッドはシャワーホースを接続する接続管６の一端にヘッド部１を設けてなり、入浴剤などをシャワー水に混入させる機能を得るための構造をヘッド部１内に設け、微細気泡を発生させる構造部を接続管６内に設ける。このため、給水栓とシャワー装置等をつなぐ経路の途中に突起構造などを設けることがなく、使用上の利便性が得られる。
【００１６】  図３から図６に開示するように、ヘッド部１は、両端面を開口面とする中空の筒体であって、かつ該筒体の軸線に垂直な断面積が一方の面側から他方の面側に向かって漸減するヘッド部本体１１と、複数のシャワー水噴出口１２１を穿設してなり、ヘッド部本体１１の一方の開口面に設ける噴出面カバー１２と、ヘッド部本体１１の噴出面カバーに対向する他方の面に設ける後部カバー１３とを具える。噴出面カバー１２は断面がコの字状を呈し、ヘッド部本体１１の口径の広い開口面に着脱自在に螺着する。後部カバー１３も断面がコの字状を呈し、ヘッド部本体１１の他方の開口面に着脱自在に螺着する。
【００１７】  ヘッド部本体１１内には固形薬剤支持部材３を摺動自在に設ける。固形薬剤支持部材３の形状は、噴出面カバー１２側の面を底面とし、底面の外周に壁面を一体に形成してなり、断面がコの字状を形成する。該壁面の底面に対する角度は、ヘッド部本体１１の傾斜角度に合わせる。また、底面の直径はヘッド部本体１１の内径よりやや狭くする。よって、固形薬剤支持部材３をヘッド部本体１１内に設けた場合、ヘッド部本体１１の内径の広い部分において、固形薬剤支持部材３の壁面とヘッド部本体１１の内壁との間に若干の隙間が形成される。
【００１８】  さらに、薬剤支持部材３の壁面の一部に窗３２を形成するとともに、壁面の他の部部分には複数の孔３３を穿設ける。また、底面の中心に中空の支持柱３１を一体に形成し、支持柱３１の内壁には螺刻する。
【００１９】  薬剤支持部材３には、洗剤、入浴剤などである固形薬剤６を嵌着する。嵌着した入浴剤等を取り換える場合は、噴出面カバー１２を取り外して交換する。
【００２０】  また、薬剤支持部材３の支持柱３１には支持軸４を螺着する。支持軸４は図６開示するように、噴出面カバー１２側の一端に近い位置に突縁４１を形成し、突縁４１から薬剤支持部材３側の一端に至るまで、外周面に螺刻する。さらに、突縁４１から薬剤支持部材３側の一端に至るまでの部分は中空に形成し、内壁に螺刻する。
【００２１】  また、噴出面カバー１２の中心にも中心孔１２２を穿設し、別途中空で内壁に螺刻した調整つまみ５を固定ねじ５１で噴出面カバー１２の外面に固定する。この場合。パッキン５２、５３を介在させて、固定ねじ５１の一端が調整つまみ５と、パッキン５２と、噴出面カバー１２の中心孔１２２と、パッキン５３を貫通して支持軸４に螺合する。
【００２２】  以上の構造により、噴出面カバー１２をヘッド部本体１１に固定した状態において調整つまみ５を時計回りの方向か、もしくは逆方向に回転させると固形薬剤支持部材３１がヘッド部本体１１の軸線方向に沿って前後に摺動し、固形薬剤支持部材３１に支持した固形薬剤３がシャワー水に溶出する度合を調整することができる。即ち、図４に開示する位置ではシャワー水における固形薬剤３の濃度が高く、図５に開示する位置においては濃度が薄くなり、図６に開示する位置においては固形薬剤３が溶出しない。
【００２３】  また、ヘッド部本体１１にはシャワー水の通過する通過孔１１１を穿設して、中空の接続管６を一体に形成する、接続管６の一端にはシャワーホース（図示しない）を接続する。よって、シャワー水はシャワーホース（図示しない）から接続管６を通過してヘッド部本体１１内に至り、直接噴出面カバー１２のシャワー水噴出孔から外部に至るか、もしくは固形薬剤支持部材３１とヘッド部本体１１との隙間を経て直接噴出面カバー１２のシャワー水噴出孔から外部に至る。
【００２４】  図７に開示するように、接続管５は、下端内部にはアスピレータ構造部６１を設ける。アスピレータ構造部６１は、傾斜部６１１を形成して内径を漸減させ、内径が最も狭くなった箇所を噴出口６１２とし、かつ噴出口６１２からヘッド部本体１１の通過孔１１１に近接した位置で水平線に対してほぼ４５度の角度で傾斜して通過孔１１１至る流通路６１３を形成する。また、噴出口６１２から接続管５を貫通して外部に至る複数の吸気孔６１４を穿設する。
【００２５】  以上の構造によるシャワーヘッドは、アスピレータ構造部５１内を流れるシャワー水が噴出口６１２に至り、噴出口６１２から流通路６１３に噴出される過程において、ベンチュリー効果によって吸気孔６１４から空気が吸入され、シャワー水に混入して微細気泡を発生させるとともに、水分子を細分化する。よって、シャワー水は入浴剤などが混入しやすい状態となり、さらに図７に開示するように流通路１３の傾斜した部分を通過してヘッド部本体１１内に至り旋回する流れとなる。よって、固形薬剤６が溶出して十分に混合され、微細気泡と洗剤、もしくは入浴剤などとが混入したシャワー水となり、シャワーヘッド外部に吐出される。
【００２６】  前述するアスピレータ構造部５１を設ける位置は接続管５の上端部であってもよい。（図示しない）この場合、前述と同様に、傾斜部を形成して内径を漸減させ、内径が最も狭くなった箇所を噴出口とし、かつ該噴出口から外部に至る吸気孔を形成する。
【００２７】  また、図７ａに開示するように、固形約薬剤支持部材３の壁面の複数の孔３は、いずれも流通路６１３の傾斜する方向とは逆方向に傾斜させてもよい。この場合、ヘッド部本体１１内に至ったシャワー水によって、発生するシャワー水の旋回流とは逆の方向に固形約薬剤支持部材３が推されるため、固形約薬剤支持部材３が回転して位置がずれることを阻止することができる。
【００２８】  なお、固形約薬剤支持部材３の回転を確実に阻止するために、固形約薬剤支持部材３の壁面に突起部（図示しない）を形成し、ヘッド部本体１１の内壁に溝などの適宜な凹状部（図示しない）を形成し、該突起部を該凹状部に係止するようにしてもよい。固形約薬剤支持部材３の回転を確実に阻止し、かつ固形約薬剤支持部材３の位置の調整の妨げにならなければ、どのような凹凸構造であってもよい。
【００２９】  さらに、ヘッド部本体１１を光透過性の材質で形成した場合、固形約薬剤支持部材３の位置を外部から確認することができる。
【００３０】  以上はこの発明の好ましい実施の形態であって、この発明の実施の範囲を限定するものではない。よって、例えば、調整つまみ５の形状の変更、アスピレータ構造部６の位置の変更などの当業者のなし得る修正、変更などであって、この発明の精神の下においてなされ、この発明に対して均等の効果を有するものは、いずれもこの発明の特許請求の範囲に属するものとする。
【符号の説明】
【００３１】１          ヘッド部
１１        ヘッド部本体
１１１      通過孔
１２        噴出面カバー
１２１      噴出口
１２２      中心孔
１３        後部カバー
２          接続管
２１        吸気孔
３          固形薬剤支持部材
３１        支持柱
３２        窗
３３        孔
５          調整つまみ
５１        固定ねじ
５１、５３  パッキン
６          固形薬剤
６１        アスピレータ構造部
６１１      傾斜部
６１２      噴出口
６１３      流通路
６１４      吸気孔
【図１】
2014083411.tif 000003
【図２】
2014083411.tif 000004
【図３】
2014083411.tif 000005
【図４】
2014083411.tif 000006
【図５】
2014083411.tif 000007
【図６】
2014083411.tif 000008
【図７】
2014083411.tif 000009